(57)【特許請求の範囲】
【請求項１】
カードが挿入される挿入口が形成され、前記カードに接続可能な接続端子が設けられたハウジングと、
前記カードの挿入及び排出に伴って、前記ハウジング内を前記カードの挿入方向及び排出方向に沿ってスライド移動し、かつ上方が開放されたハートカム溝を有するスライド部材と、
前記カードを排出する排出方向に、前記スライド部材を付勢する付勢部材と、
前記スライド部材のスライド移動に伴って一部が前記ハートカム溝内を移動すると共に、前記付勢部材の付勢力に抗して、前記ハウジングに対して前記スライド部材をロック位置に保持可能なラッチピンと、を備えたカード用コネクタにおいて、
前記スライド部材は、金属板が埋設された合成樹脂材からなり、前記ハートカム溝の最も溝深さが深い最深部の内底面は、前記合成樹脂材から露出した前記金属板の上面で形成されており、
前記金属板には、前記合成樹脂材に埋設される折り曲げ部が設けられており、
前記スライド部材が前記ロック位置に保持された際に前記ラッチピンが当接する前記ハートカム溝の樹脂壁に対向して、前記折り曲げ部が埋設されていることを特徴とするカード用コネクタ。
【請求項２】
前記最深部において、前記金属板の下面が前記合成樹脂材から露出しており、前記最深部が前記金属板により形成されていることを特徴とする請求項１に記載のカード用コネクタ。
【請求項３】
前記金属板は、前記合成樹脂材から突出する突出部を有し、
前記突出部は、前記スライド部材がスライド移動する平面に沿って形成され、
前記突出部は、前記カードが挿入された際に、当該カードの下面と対向するように構成されていることを特徴とする請求項１ないし請求項２のいずれかに記載のカード用コネクタ。
【請求項４】
前記金属板は、前記スライド部材の前記カードの挿入方向における先端部から突出する当接部を有し、
前記当接部は、前記スライド部材のスライド移動方向に交差する方向に突出して形成され、前記当接部は、前記カードが挿入された際に、当該カードの挿入方向側の端面と当接可能に構成されていることを特徴とする請求項１ないし請求項３のいずれかに記載のカード用コネクタ。
【発明の詳細な説明】
【技術分野】
【０００１】
本発明は、カード用コネクタに関し、特に、カードと共にスライド移動するスライド部材を備えたカード用コネクタに関するものである。
【背景技術】
【０００２】
カード用コネクタは、電気機器に搭載され、各種電子データを記録可能な記録媒体であるカードと電気機器とを電気的に接続し、電子データの書き込みおよび読み込みを可能とするコネクタである。このようなカード用コネクタには、挿入されたカードを再度押し込むことで、カードが排出される機構を備えたものもある。昨今では、携帯機器に搭載されることが多く、低背化の要求が大きくなっている。この様なカード用コネクタとしては、
下記の特許文献１に記載のカード用コネクタが知られている。
【０００３】
以下、図１０を用いて、特許文献１に記載のカード用コネクタ９００について説明する。図１０は、特許文献１に記載のカード用コネクタ９００の構成を示す分解斜視図である。
【０００４】
特許文献１に記載のカード用コネクタ９００は、カードの挿入口が形成され、カードに接続する接続端子９１１が埋設された樹脂製のハウジング９０２と、カードの挿入方向に、カードと共にハウジング９０２内をスライドするスライド部材９０６と、カードの排出方向に、スライド部材９０６を付勢する排出バネ９０７と、排出バネ９０７の付勢力に抗して、ハウジング９０２に対してスライド部材９０６をロック位置にロックするロック機構（ロック部材）９２３、ロック機構（ラッチピン）９２４とを備え、ハウジング９０２の底壁９０２ａにおけるスライド部材９０６がスライドするスライド領域に、金属板を埋設する構成である。なお、ロック部材９２３にはラッチピン９２４の一部が摺動するハートカム溝と呼ばれる溝が形成されている。
【先行技術文献】
【特許文献】
【０００５】
【特許文献１】特開２０１１−３４８３２号公報
【発明の概要】
【発明が解決しようとする課題】
【０００６】
特許文献１に記載のカード用コネクタ９００をより低背化しようとした場合、各部材の高さ寸法を低くする必要がある。ロック部材９２３においては、高さ寸法を低くするとともに、ラッチピン９２４の一部が摺動する際に脱落しないようにハートカム溝の深さを十分に確保する必要がある。ロック部材９２３を低背化して、ハートカム溝の深さを十分に確保した場合、合成樹脂材から形成されるハートカム溝の最深部においては肉厚が薄く、強度が弱くなり、ラッチピン９２４の摺動によって破損することも考えられ、低背化することが困難である。
【０００７】
本発明は、上述した課題を解決して、スライド部材が所定の位置で保持されるロック機構を備えたものであっても、低背化可能なカード用コネクタを提供するものである。
【課題を解決するための手段】
【０００８】
請求項１に記載のカード用コネクタにおいては、カードが挿入される挿入口が形成され、前記カードに接続可能な接続端子が設けられたハウジングと、前記カードの挿入及び排出に伴って、前記ハウジング内を前記カードの挿入方向及び排出方向に沿ってスライド移動し、かつ上方が開放されたハートカム溝を有するスライド部材と、前記カードを排出する排出方向に、前記スライド部材を付勢する付勢部材と、前記スライド部材のスライド移動に伴って一部が前記ハートカム溝内を移動すると共に、前記付勢部材の付勢力に抗して、前記ハウジングに対して前記スライド部材をロック位置に保持可能なラッチピンと、を備えたカード用コネクタにおいて、前記スライド部材は、金属板が埋設された合成樹脂材からなり、前記ハートカム溝の最も溝深さが深い最深部の内底面は、前記合成樹脂材から露出した前記金属板の上面で形成されており、前記金属板には、前記合成樹脂材に埋設される折り曲げ部が設けられており、前記スライド部材が前記ロック位置に保持された際に前記ラッチピンが当接する前記ハートカム溝の樹脂壁に対向して、前記折り曲げ部が埋設されている、ということを特徴を有するとするカード用コネクタ。
【０００９】
請求項２に記載のカード用コネクタにおいては、前記最深部において、前記金属板の下面が前記合成樹脂材から露出しており、前記最深部が前記金属板により形成されている、という特徴を有する。
【００１１】
請求項３に記載のカード用コネクタにおいては、前記金属板は、前記合成樹脂材から突出する突出部を有し、前記突出部は、前記スライド部材がスライド移動する平面に沿って形成され、前記突出部は、前記カードが挿入された際に、当該カードの下面と対向するように構成されている、という特徴を有する。
【００１２】
請求項４に記載のカード用コネクタにおいては、前記金属板は、前記スライド部材の前記カードの挿入方向における先端部から突出する当接部を有し、前記当接部は、前記スライド部材のスライド移動方向に交差する方向に突出して形成され、前記当接部は、前記カードが挿入された際に、当該カードの挿入方向側の端面と当接可能に構成されている、という特徴を有する。
【発明の効果】
【００１３】
請求項１の発明によれば、スライド部材を、金属板を埋設した合成樹脂材で形成し、ハートカム溝の最も溝深さが深い部分である最深部の内底面を、合成樹脂材から露出した金属板で形成している。そのため、ハートカム溝の最も溝深さが深い部分においては、ラッチピンを金属板で受けるため、ハートカム溝が破損し難く、最深部に肉厚の合成樹脂材を設ける必要がないことから、スライド部材を従来よりも低背化することができる。すなわち、低背化可能なロック機構付のカード用コネクタを提供することができる、という効果を奏する。し、さらにスライド部材がロック位置で保持されているとき、ラッチピンが当接する部分の樹脂壁を金属板の折り曲げ部で補強することができる。このため、長期に渡って、確実なロックが可能となる、という効果を奏する。
【００１４】
請求項２の発明によれば、ハートカム溝の最深部は合成樹脂材を設けず金属板のみで形成している。このため、ハートカム溝の強度を確保しつつ、スライド部材をより低背化することが可能となる。したがって、より低背化可能なロック機構付のカード用コネクタを提供することができる、という効果を奏する。
【００１６】
請求項３の発明によれば、付勢部材に抗してスライド移動するスライド部材が、付勢部材の付勢力により傾くなどの不所望な動きをした場合でも、カードの下面と対向するように突出部を設けることで、カードが突出部に当接しスライド部材を抑えることが可能となり、付勢部材に抗してスライド移動するスライド部材の不所望な動きを防止できる、という効果を奏する。
【００１７】
請求項４の発明によれば、カードの挿入方向側の端面と当接可能な当接部を金属板に設けることで、カードの挿入時および排出時に金属製の当接部がカードに当接する。このため、当接部の強度を高められるので、長期に渡って、確実にカードの挿入および排出を行なうことができる。また、当接部はカードの挿入方向側の端面と当接するため、カード排出時にカードを傾けることなく、カードを排出方向に付勢することができ、排出時にカードが引っ掛かる等の不具合を防ぐことが出来る。したがって、長期に渡って、より確実にカードの挿入および排出を行なうことができるカード用コネクタを提供することができる、という効果を奏する。
【００１８】
以上より、本発明によれば、スライド部材が所定の位置で保持されるロック機構を備えたものであっても、低背化可能なカード用コネクタを提供することができる。
【図面の簡単な説明】
【００１９】
【図１】カード用コネクタ１００およびカードＣＡの外観を示す斜視図である。
【図２】カード用コネクタ１００の構成を示す分解斜視図である。
【図３】スライド部材３の外観を示す図である。
【図４】スライド部材３の最深部３ｃの位置を示す平面図である。
【図５】図４に示す断面Ａ−Ａを示す断面図である。
【図６】スライド部材３の外観を示す図である。
【図７】ケース部材１ｂおよび接続端子２の外観を示す図である。
【図８】図１に示すＺ１方向側から見たカード用コネクタ１００の構成部品の配置を示す平面図である。
【図９】カードＣＡが挿入された状態のカード用コネクタ１００を示す図である。
【図１０】特許文献１に記載のカード用コネクタ９００の構成を示す分解斜視図である。
【発明を実施するための形態】
【００２０】
［第１実施形態］
以下に第１実施形態におけるカード用コネクタ１００について説明する。
【００２１】
まず始めに本実施形態におけるカード用コネクタ１００の構成について図１ないし図７を用いて説明する。図１はカード用コネクタ１００およびカードＣＡの外観を示す斜視図である。図２はカード用コネクタ１００の構成を示す分解斜視図である。図３はスライド部材３の外観を示す図であり、図３（ａ）はスライド部材３の外観を示す斜視図であり、図３（ｂ）はスライダ部３ｈに埋設された金属板３ｂを示す模式平面図ある。なお、図３（ｂ）においてはロックバネ３ｒを省略している。図４はスライド部材３の最深部３ｃの位置を示す平面図であり、最深部３ｃに相当する箇所にハッチングを施している。図５は図４に示す断面Ａ−Ａを示す断面図である。図６はスライド部材３の外観を示す図であり、図６（ａ）は図３に示すＺ２方向側から見た状態のスライド部材３の外観を示す平面図であり、図６（ｂ）は図３に示すＹ２方向側から見た状態のスライド部材３の外観を示す側面図である。図７はケース部材１ｂおよび接続端子２の外観を示す図であり、図７（ａ）はケース部材１ｂおよび接続端子２の外観を示す斜視図であり、図７（ｂ）は図７（ａ）に示すＺ１方向側から見たケース部材１ｂおよび接続端子２の外観を示す平面図である。
【００２２】
カード用コネクタ１００は、図２に示すように、接続端子２が設けられたハウジング１と、スライド部材３と、付勢部材４と、ラッチピン５と、を備えている。図１に示す挿入口１ａからメモリーカードなどのカードＣＡをカード用コネクタ１００の内部に挿入し、保持することでカード用コネクタ１００が取り付けられた電気機器とカードＣＡとを電気的に接続させることができる。なお、カード用コネクタ１００は、ハートカム機構を用いたロック機構により、スライド部材３と共にカードＣＡをカード用コネクタ１００の内部に保持することができる。
【００２３】
ラッチピン５は、図２に示すように、直線状に形成された金属棒からなり、両端は同一方向（Ｚ２方向）へ折り曲げられている。
【００２４】
付勢部材４は、弾性を有する金属線材からなるコイルバネである。
【００２５】
スライド部材３は、図３に示すように、金属板３ｂが埋設された合成樹脂材からなるスライダ部３ｈを有している。スライダ部３ｈは略直方体状に形成されており、上方に開放したハートカム溝３ａを有する。なお、ラッチピン５（図２参照）の折り曲げられた一端がハートカム溝３ａ内を摺動することで、ハートカム機構を用いたロック機構が構成される。ハートカム溝３ａは、カードＣＡの挿入方向側（Ｙ１方向側）からカードＣＡの排出方向側（Ｙ２方向側）へ直線状に形成された直線形状部３ｋと、直線形状部３ｋの排出方向側に連続してハート型の溝に形成されたハート型形状部３ｍとからなる。なお、ハート型形状部３ｍにおいて、直線形状部３ｋとハート型形状部３ｍとの連結箇所の反対側に、ロック機構によりスライド部材３がロック位置に保持された際にラッチピン５の一端が位置するロック部３ｎが形成されている。
【００２６】
また、スライダ部３ｈの上面のカードＣＡの排出方向側には、ロックバネ３ｒが圧入により係止されている。ロックバネ３ｒは金属板材を折り返すように形成され、一方端には折り返し方向に交差するとともに、他方端のない方向に突出して形成されたフック部３ｓを有する。なお、ロックバネ３ｒは、フック部３ｓがスライダ部３ｈからＸ１方向側に突出するようにスライダ部３ｈに係止されている。また、スライダ部３ｈのフック部３ｓが突出する側の反対側には、係止ピン３ｔがカードＣＡの挿入方向へ突出して柱状に形成されている。係止ピン３ｔは、コイルバネである付勢部材４（図２参照）に挿入可能な太さである。
【００２７】
また、金属板３ｂは、平板状に形成されたベース部３ｐを有している。ベース部３ｐの中央部付近には、図３および図５に示すように、上方へ突出するように折り曲げられた折り曲げ部３ｅが設けられており、金属板３ｂがスライダ部３ｈに埋設された際には、合成樹脂材に埋設される。また、ロック部３ｎにおいて、図３に示すように、折り曲げ部３ｅはラッチピン５が当接するハートカム溝３ａの樹脂壁（ＲＦ部）に対向して埋設されている。また、金属板３ｂは、ベース部３ｐのカードＣＡの排出方向側（Ｙ２方向側）に、合成樹脂材（スライダ部３ｈ）から突出する突出部３ｆを有する。また、金属板３ｂは、スライド部材３のカードＣＡの挿入方向における先端部から突出する当接部３ｇを有し、当接部３ｇは、スライド部材３のスライド移動方向に交差する方向に突出して形成されている。なお、当接部３ｇは、ベース部３ｐの上方側（Ｚ１方向側）でベース部３ｐと略平行な面となる様に２回折り曲げられて形成されている。また、当接部３ｇの突出方向側の先端部は下方に折り曲げられている。このように形成された金属板３ｂは、スライダ部３ｈに埋設され、当接部３ｇと突出部３ｆとがスライダ部３ｈから突出して設けられている。
【００２８】
また、ハートカム溝３ａの最も溝深さが深い最深部３ｃは、図４においてハッチングを施した部分であり、最深部３ｃの内底面は、スライダ部３ｈを形成する合成樹脂材から露出した金属板３ｂ（ベース部３ｐ、図３参照）の上面で形成されている。また、図５および図６に示すように、スライド部材３の底面（Ｚ２方向側の面）である底面部３ｄにおいて、金属板３ｂの下面が合成樹脂材（スライダ部３ｈ）から露出している。ここで、最深部３ｃに対応した部分における金属板３ｂの下面は合成樹脂材から露出している。すなわち、最深部３ｃにおいては、金属板３ｂの上面及び下面がスライダ部３ｈを形成する合成樹脂材から露出しており、最深部３ｃが金属板３ｂのみにより形成されている。なお、スライド部材３の底面部３ｄの合成樹脂材と金属板３ｂの下面とは、ほぼ同一の平面に形成されている。
【００２９】
また、図６に示すように、スライド部材３の底面部３ｄには、当接部３ｇが突出する根元付近に、凹状に形成されたガイド溝３ｑがカードＣＡの挿入方向（Ｙ１方向）に平行な方向へ延設されている。
【００３０】
ハウジング１は、図２に示すように、ケース部材１ｂとカバー部材１ｃとからなる。ケース部材１ｂは、合成樹脂材からなり、図７に示すように、中空で、上方（Ｚ１方向側）が開放された形状に形成されている。ケース部材１ｂは、平板状に形成された底板部１ｄを有し、底板部１ｄの外周の３方（Ｘ１方向側、Ｘ２方向側、Ｙ１方向側）には、ほぼ外周を囲むように上方へ突出して側壁が形成されている。また、底板部１ｄの外周の残る一方（Ｙ２方向側）の、Ｘ２方向側の一部にも連続して側壁が形成されている。また、底板部１ｄは、リブ状に上方へ突出し、カードＣＡ（図１参照）の挿入方向に平行な方向（Ｙ１―Ｙ２方向）に延設されたガイドレール部１ｅを有する。ガイドレール部１ｅはＹ１方向側の側壁からＹ２方向へ向かって、Ｙ２方向側の側壁との中間地点付近まで延設されている。また、ガイドレール部１ｅはスライド部材３のガイド溝３ｑに挿入可能な幅と高さに形成され、ガイドレール部１ｅの上面は平坦な平面に形成されている。
【００３１】
また、ケース部材１ｂの内部の空間は、ガイドレール部１ｅを境にして、Ｘ１方向側はカードＣＡを保持可能なカード保持領域ＣＨＡと、Ｘ２方向側はスライド部材３の一部などが保持可能なスライド保持領域ＳＨＡとに分けられる。スライド保持領域ＳＨＡの底板部１ｄの上面は平坦な平面形状に形成され、カードＣＡの挿入方向側の側壁には、下方（Ｚ２方向）に向かって穴状に形成された揺動保持穴１ｆが形成され、ラッチピン５（図２参照）の折り曲げられた他端部を挿入可能な大きさである。カード保持領域ＣＨＡの底板部１ｄにはカードＣＡと電気的に接続可能な９本の接続端子２がカードＣＡの挿入方向に直交する方向へ並んで埋設されており、カードＣＡの端子と接続可能なカード接続端子部２ａが、カードＣＡの端子に対応する位置に片持ち梁状に突出して形成されている。また、接続端子２のカード接続端子部２ａの反対端にはプリント基板等の外部部材と電気的に接続可能な外部接続端子部２ｂが、ケース部材１ｂの底面側（Ｚ２方向側の面）に露出して形成されている。
【００３２】
カバー部材１ｃは、金属製の板材からなり、図２に示すように、平板状で、ケース部材１ｂの上方の開口を覆うことが可能な大きさに形成された天板部１ｇを有している。天板部１ｇの外周の３方（Ｘ１方向側、Ｘ２方向側、Ｙ１方向側）には、ほぼ外周を囲むように下方（Ｚ２方向）へ突出して側壁が形成されている。ケース部材１ｂの一部のみ側壁が形成されている側の向きと、カバー部材１ｃの側壁のない側の向きとを合わせて、カバー部材１ｃをケース部材１ｂの上方の開口を覆うように重ねて配置し、係止することでハウジング１が形成され、図１に示すように、カードＣＡをハウジング１の内部に挿入可能な挿入口１ａが形成される。なお、カバー部材１ｃの天板部１ｇには、ラッチピン５を下方（Ｚ２方向）側へ付勢する弾性を有したバネ片１ｈが設けられている。
【００３３】
次にカード用コネクタ１００の構造について図８および図９を用いて説明する。図８は図１に示すＺ１方向側から見たカード用コネクタ１００の構成部品の配置を示す平面図である。図９はカードＣＡが挿入された状態のカード用コネクタ１００を示す図であり、図９（ａ）は図１に示すＺ１方向側から見たカードＣＡが挿入された状態のカード用コネクタ１００の状態を示す平面図であり、図９（ｂ）は図９（ａ）に示すＹ２方向側から見たカード用コネクタ１００の状態を示す側面図である。なお、理解を容易にするために、図８および図９（ａ）においては、カバー部材１ｃの外形のみを破線で示している。
【００３４】
図８に示すように、スライド部材３は、ガイドレール部１ｅとガイド溝３ｑ（図６参照）とを係合させて、ケース部材１ｂのスライド保持領域ＳＨＡ（図７参照）に、カードＣＡ（図１参照）の挿入方向（Ｙ１方向）および排出方向（Ｙ２方向）に、カードＣＡと共にハウジング１内をスライド移動可能に配置される。また、付勢部材４は一端にスライド部材３の係止ピン３ｔが挿入された状態で、ケース部材１ｂのＹ１方向側の側壁とスライド部材３との間に配置され、カードＣＡの排出方向に、スライド部材３を付勢している。ラッチピン５は、一端をスライド部材３のハートカム溝３ａ内に配置されるとともに、他端をケース部材１ｂの揺動保持穴１ｆに配置されている。なお、スライド部材３のスライド移動に伴って、ラッチピン５は他端（揺動保持穴１ｆ）を支点として揺動するとともに、ラッチピン５の一端は、ハートカム溝３ａに沿って移動可能に配置されている。このように、スライド部材３、付勢部材４およびラッチピン５が配置されたケース部材１ｂの上方の開口を覆うように、カバー部材１ｃを重ねて配置し、係止することでカード用コネクタ１００が形成される。このように形成されたカード用コネクタ１００において、ラッチピン５の一端は、カバー部材１ｃのバネ片１ｈによって、ハートカム溝３ａの内底面側に押圧されており、これにより、ラッチピン５とハートカム溝３ａとの係合が外れないように構成されている。スライド部材３の突出部３ｆは、図９（ｂ）に示すように、スライド部材３がスライド移動する平面（底板部１ｄ）に沿って形成され、カードＣＡが挿入された際に、カードＣＡの下面と対向するように構成されている。また、当接部３ｇはスライド保持領域ＳＨＡからカード保持領域ＣＨＡ（図７参照）へ突出している。カード保持領域ＣＨＡ（図７参照）へ突出した当接部３ｇは、接続端子２とは接触しないとともに、カードＣＡが挿入された際には、カードＣＡと当接可能である。
【００３５】
次にカード用コネクタ１００の動作について図８および図９を用いて説明する。
【００３６】
ハートカム機構を用いたロック機構は公知の技術なので詳細な説明は省略するが、図８に示すカードＣＡが未挿入な状態のカード用コネクタ１００に、カードＣＡを挿入し押し込むことで、図９に示すように、カードＣＡの挿入方向側の端面と当接部３ｇとが当接し、付勢部材４の付勢力に抗してスライド部材３はカードＣＡの挿入方向（Ｙ１方向）へスライド移動する。スライド部材３のスライド移動に伴って、ラッチピン５の一部（一端）がハートカム溝３ａ内を移動すると共に、ハートカム溝３ａのロック部３ｎの位置でスライド部材３と係合し、付勢部材４の付勢力に抗して、ハウジング１に対してスライド部材３をロック位置に保持する。なお、カードＣＡが挿入されると、カードＣＡに設けられた凹形状部ｈｏとロックバネ３ｒのフック部３ｓとが係合する。また、再度、カードＣＡを挿入方向に押圧することで、スライド部材３をロック位置に保持するラッチピン５とスライド部材３との係合が外れ、スライド部材３は付勢部材４の付勢力により、カードＣＡとともにカードＣＡの排出方向へ付勢され、図８に示す状態に復帰する。
【００３７】
以下、本実施形態としたことによる効果について説明する。
【００３８】
本実施形態のカード用コネクタ１００では、カードＣＡが挿入される挿入口１ａが形成され、カードＣＡに接続可能な接続端子２が設けられたハウジング１と、カードＣＡの挿入及び排出に伴って、ハウジング１内をカードＣＡの挿入方向及び排出方向に沿ってスライド移動し、かつ上方が開放されたハートカム溝３ａを有するスライド部材３と、カードＣＡを排出する排出方向に、スライド部材３を付勢する付勢部材４と、スライド部材３のスライド移動に伴って一部がハートカム溝３ａ内を移動すると共に、付勢部材４の付勢力に抗して、ハウジング１に対してスライド部材３をロック位置に保持可能なラッチピン５と、を備えたカード用コネクタにおいて、スライド部材３は、金属板３ｂが埋設された合成樹脂材からなり、ハートカム溝３ａの最も溝深さが深い最深部３ｃの内底面は、合成樹脂材から露出した金属板３ｂの上面で形成されている、構成とした。
【００３９】
これにより、スライド部材３を、金属板３ｂを埋設した合成樹脂材で形成し、ハートカム溝３ａの最も溝深さが深い部分（最深部３ｃ）の内底面を、合成樹脂材から露出した金属板３ｂで形成している。そのため、ハートカム溝３ａの最も溝深さが深い部分においては、ラッチピン５を金属板３ｂで受けるため、ハートカム溝３ａが破損し難く、最深部３ｃに肉厚の合成樹脂材を設ける必要がないことから、スライド部材３を従来よりも低背化することができる。すなわち、低背化可能なロック機構付のカード用コネクタを提供することができる、という効果を奏する。
【００４０】
また、本実施形態のカード用コネクタ１００では、最深部３ｃにおいて、金属板３ｂの下面が合成樹脂材から露出しており、最深部３ｃが金属板３ｂにより形成されている、構成とした。
【００４１】
これにより、ハートカム溝３ａの最深部３ｃは合成樹脂材を設けず金属板３ｂのみで形成している。このため、ハートカム溝３ａの強度を確保しつつ、スライド部材３をより低背化することが可能となる。したがって、より低背化可能なロック機構付のカード用コネクタを提供することができる、という効果を奏する。
【００４２】
また、本実施形態のカード用コネクタ１００では、金属板３ｂには、合成樹脂材に埋設される折り曲げ部３ｅが設けられており、スライド部材３がロック位置に保持された際にラッチピン５が当接するハートカム溝３ａの樹脂壁に対向して、折り曲げ部３ｅが埋設されている、構成とした。
【００４３】
これにより、スライド部材３がロック位置で保持されているとき、ラッチピン５が当接する部分（ロック部３ｎ）の樹脂壁を金属板３ｂの折り曲げ部３ｅで補強することができる。このため、長期に渡って、確実なロックが可能となる、という効果を奏する。また、仮に、樹脂壁が磨耗により削れても、折り曲げ部３ｅでラッチピン５を保持することが可能である、という効果を奏する。
【００４４】
また、本実施形態のカード用コネクタ１００では、金属板３ｂは、合成樹脂材から突出する突出部３ｆを有し、突出部３ｆは、スライド部材３がスライド移動する平面に沿って形成され、突出部３ｆは、カードＣＡが挿入された際に、カードＣＡの下面と対向するように構成されている、構成とした。
【００４５】
これにより、付勢部材４に抗してスライド移動するスライド部材３が、付勢部材４の付勢力により傾くなどの不所望な動きをした場合でも、突出部３ｆを設けることで、カードＣＡが突出部３ｆに当接しスライド部材３を抑えることが可能となり、付勢部材４に抗してスライド移動するスライド部材３の不所望な動きを防止できる、という効果を奏する。
【００４６】
また、本実施形態のカード用コネクタ１００では、金属板３ｂは、スライド部材３のカードＣＡの挿入方向における先端部から突出する当接部３ｇを有し、当接部３ｇは、スライド部材３のスライド移動方向に交差する方向に突出して形成され、当接部３ｇは、カードＣＡが挿入された際に、カードＣＡの挿入方向側の端面と当接可能に構成されている、構成とした。
【００４７】
これにより、カードＣＡの挿入方向側の端面と当接可能な当接部３ｇを金属板３ｂに設けることで、カードＣＡの挿入時および排出時に金属製の当接部３ｇがカードＣＡに当接する。このため、低背化により薄肉化された合成樹脂材で当接部３ｇを形成するよりも当接部３ｇの強度を高められるので、長期に渡って、確実にカードＣＡの挿入および排出を行なうことができる。また、当接部３ｇはカードＣＡの挿入方向側の端面と当接するため、カードＣＡ排出時にカードＣＡを傾けることなく、カードＣＡを排出方向に付勢することができ、排出時にカードＣＡが引っ掛かる等の不具合を防ぐことが出来る。したがって、長期に渡って、より確実にカードＣＡの挿入および排出を行なうことができるカード用コネクタを提供することができる、という効果を奏する。
【００４８】
また、本実施形態のカード用コネクタ１００では、ハウジング１のガイドレール部１ｅとスライド部材３のガイド溝３ｑとが係合し、ガイドレール部１ｅに沿ってスライド部材３がスライド移動する構成とした。これにより、例えば、カードＣＡの角部を押すようにしてカードＣＡが挿入された場合などでも、カードＣＡの挿入方向および排出方向に対してスライド部材３が傾き難くなる。したがって、カードＣＡの挿入および排出をよりスムーズに行なうことができるという効果を奏する。
【００４９】
また、本実施形態のカード用コネクタ１００では、スライド部材３にロックバネ３ｒを設け、カードＣＡが挿入された際に、ロックバネ３ｒのフック部３ｓとカードＣＡの凹形状部ｈｏとが係合する構成とした。これにより、カードＣＡがカード用コネクタ１００から抜け落ち難くなる。したがって、カードとの接続がより安定したカード用コネクタを提供することができる、という効果を奏する。
【００５０】
以上のように、本発明の実施形態に係るカード用コネクタを具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００５１】
（１）本実施形態において、ロックバネ３ｒはスライド部材３のスライダ部３ｈに圧入し、係止する構造としたが、金属板３ｂとともにスライダ部３ｈにインサート成形することで係止しても良い。
【００５２】
（２）本実施形態において、接続端子２を９本有する構造としたが、対応するカードの種類に合わせて接続端子２の本数や配列などを変更しても良い。
【符号の説明】
【００５３】
１      ハウジング
１ａ    挿入口
１ｂ    ケース部材
１ｃ    カバー部材
１ｄ    底板部
１ｅ    ガイドレール部
１ｆ    揺動保持穴
１ｇ    天板部
１ｈ    バネ片
２      接続端子
２ａ    カード接続端子部
２ｂ    外部接続端子部
３      スライド部材
３ａ    ハートカム溝
３ｂ    金属板
３ｃ    最深部
３ｄ    底面部
３ｅ    折り曲げ部
３ｆ    突出部
３ｇ    当接部
３ｈ    スライダ部
３ｋ    直線形状部
３ｍ    ハート型形状部
３ｎ    ロック部
３ｐ    ベース部
３ｑ    ガイド溝
３ｒ    ロックバネ
３ｓ    フック部
３ｔ    係止ピン
４      付勢部材
５      ラッチピン
１００  カード用コネクタ
ＣＨＡ  カード保持領域
ＳＨＡ  スライド保持領域
【図１】
0006045032.tif 000002
【図２】
0006045032.tif 000003
【図３】
0006045032.tif 000004
【図４】
0006045032.tif 000005
【図５】
0006045032.tif 000006
【図６】
0006045032.tif 000007
【図７】
0006045032.tif 000008
【図８】
0006045032.tif 000009
【図９】
0006045032.tif 000010
【図１０】
0006045032.tif 000011